(57)【要約】【課題】ＬＥＤを光源とする照明器具であって、壁面や天井面に取り付けられる小型化された照明器具を提供する。【解決手段】光源が基板に配置された光源部５１と、前記光源部５１に給電する電源装置３１と、前記光源部５１を取り付ける光源取付部４１と、前記電源装置３１及び前記光源取付部４１を保持する器具本体２１と、を備え、前記光源取付部４１は、光源非配置部４２と、前記光源非配置部４２の外縁に設けられ、前記光源非配置部４２外縁から離間するに従って外側に広がるとともに表面に前記光源部５１が配置される、少なくとも２つ以上の光源配置部である光源配置部４３・４３と、を有し、前記電源部は、前記光源非配置部４２と前記光源配置部４３・４３により形成される空間Ｓに配置される。【選択図】図４
2015097181.tif 000002
【特許請求の範囲】
【請求項１】
光源が基板に配置された光源部と、
前記光源部に給電する電源部と、
前記光源部を取り付ける光源取付部と、
前記電源部及び前記光源取付部を保持する器具本体と、
前記光源取付部を覆うセードと、を備え、
前記光源取付部は、
前記光源が配置される、少なくとも２つ以上の光源配置部と、
前記２つ以上の光源配置部との間に光源非配置部と、を有し、
前記電源部は、前記光源非配置部と前記光源配置部により形成される空間に配置される、照明器具。
【請求項２】
請求項１に記載の照明器具であって、
前記光源配置部は、２つで構成され、
２つの前記光源配置部は、前記光源非配置部側から前記器具本体側に向かうに従って外側に広がるよう配置され、
前記２つの光源配置部のそれぞれの延長線のなす角が鋭角となるように対向配置される、照明器具。
【請求項３】
請求項１または請求項２に記載の照明器具であって、
前記セードは、
前記光源非配置部の対向する位置に、前記光源部から出射される光の少なくとも一部を遮光する遮光部を有する、照明器具。
【請求項４】
請求項１から請求項３のいずれか一項に記載の照明器具であって、
前記遮光部は、
照明器具の長手方向に直交する断面形状において、前記遮光部の少なくとも一部が、前記光源非配置部と、前記２つの光源配置部のそれぞれの延長線により区画される範囲内に含まれるように配置される、照明器具。
【発明の詳細な説明】
【技術分野】
【０００１】
本発明は、ＬＥＤを光源とする照明器具に関する。
【背景技術】
【０００２】
近年、低消費電力、長寿命などの利点を有するＬＥＤ（Ｌｉｇｈｔ  Ｅｍｉｔｔｉｎｇ  Ｄｉｏｄｅ：発光ダイオード）を光源として用いた照明器具が種々提案されている。例えば、特許文献１や特許文献２においては、ＬＥＤを光源とし、該光源を多面状に配置するための光源配置部を設けた照明器具が開示されている。
【０００３】
特許文献１の照明器具は、複数のＬＥＤを搭載する基板のＬＥＤ搭載装備面が多面状であるとともに、前記基板は光の照射方向に対し凸状である。特許文献１の照明器具は、前記基板を多面状とした場合、中央に光源非配置部を有し、その光源非配置部の外周縁を介して複数のテーパ面を有する構成となっている。また、特許文献１の図６においては、ラインランプタイプの照明器具の実施例が示されている。この実施例では基板が長尺のものであり、その長手方向に沿った中央部を外方へ突出させ、その中央部は平坦面としており、その中央部の長手方向に沿った各縁に隣接させて二つのテーパ面が形成されている。この中央部及び二つのテーパ面には、ＬＥＤを搭載する基板が配置される構成となっている。
【０００４】
特許文献２の照明器具は、矩形箱状の本体と、この本体の一面に沿って固定され可視光を放射する細長形状の発光体と、筒状に形成され発光体を覆う透光性のカバーとを備える。発光体は、カバーの周壁に沿う主配置面と、カバーの端壁に臨む副配置面とを備える取付台と、主配置面および副配置面に配置される複数個のＬＥＤと備える。特許文献２の実施形態２（図５）においては、前記取付台の主配置面が、カバーの軸線に直交する断面において、前記本体から離れる向きに凸となるように配置された三つの分割配置面を備え、該分割配置面それぞれにＬＥＤが配置される構成となっている。
【先行技術文献】
【特許文献】
【０００５】
【特許文献１】特開２０１０−２８２７７７号公報
【特許文献２】特開２０１２−１７４５４７号公報
【発明の概要】
【発明が解決しようとする課題】
【０００６】
ところで、照明器具を室内の天井面や壁面に設置する場合において、室内空間をより広く感じさせるためには、照明器具の小型化や薄型化が求められる。しかしながら、特許文献１や特許文献２に開示されている照明器具は、照明器具の小型化や薄型化が十分に考慮された構成ではない。具体的には、特許文献１の図６に開示されたラインランプタイプの照明器具は、ケーシング上に光の照射方向に対し凸状の基板（光源取付部）を配置した二段構造となっている。特許文献２の図５に開示された照明器具においても、本体上に光の照射方向に対し凸状の取付台（光源取付部）を配置した二段構造となっている。このように照明器具の本体（ケーシング）と光源取付部とが二段構造からなる照明器具を壁面等の取付面に取り付けた場合、取付面から張り出した嵩高い構造になってしまうという課題がある。そのため、照明器具として壁面や天井面に取り付けられることを考慮して、小型化された照明器具が望まれる。
また、セードを用いてＬＥＤなどの点光源からの光を発光ムラが少なくなるように拡散させる場合には、セードと光源との間にある程度の距離を設ける必要がある。特許文献１や特許文献２に開示されている構造を用いて、セードを有する照明器具を作成する場合、発光ムラが少なくなるように拡散させるためにはセードと光源との距離を確保することによるセードの厚みの増大化は避けがたい。
【０００７】
そこで、本発明は、上記課題に鑑みてなされたものであり、ＬＥＤを光源とする照明器具であって、壁面や天井面に取り付けられる小型化された照明器具を提供することを目的とする。
【課題を解決するための手段】
【０００８】
本発明の解決しようとする課題は以上の如くであり、次にこの課題を解決するための手段を説明する。
【０００９】
すなわち、本願に開示する照明器具は、
光源が基板に配置された光源部と、
前記光源部に給電する電源部と、
前記光源部を取り付ける光源取付部と、
前記電源部及び前記光源取付部が保持する器具本体と、
前記光源取付部を覆うセードと、を備え、
前記光源取付部は、
前記光源が配置される、少なくとも２つ以上の光源配置部と、
前記２つ以上の光源配置部との間に光源非配置部と、を有し、
前記電源部は、前記光源非配置部と前記光源配置部により形成される空間に配置されものである。
【００１０】
本願に開示する照明器具は、上記構成を基本として、以下のような態様をとることができる。
【００１１】
本願に開示する照明器具において、
前記光源配置部は、２つで構成され、
２つの前記光源配置部は、前記光源非配置部側から前記器具本体側に向かうに従って外側に広がるよう配置され、
前記２つの光源配置部のそれぞれの延長線のなす角が鋭角となるように対向配置されることが好ましい。
【００１２】
本願に開示する照明器具において、
前記セードは、
前記光源非配置部の対向する位置に、前記光源部から出射される光の少なくとも一部を遮光する遮光部を有することが好ましい。
【００１３】
本願に開示する照明器具において、
前記遮光部は、
照明器具の長手方向に直交する断面形状において、前記遮光部の少なくとも一部が、前記光源非配置部と、前記２つの光源配置部のそれぞれの延長線により区画される範囲内に含まれるように配置されることが好ましい。
【発明の効果】
【００１４】
本発明によれば、壁面や天井面に取り付けられる小型化された照明器具を提供することができる。
【図面の簡単な説明】
【００１５】
【図１】本発明の実施形態に係る照明器具を示す斜視図。
【図２】同じく照明器具を示す平面図。
【図３】同じく照明器具を壁面に取り付けた状態を示す側面図。
【図４】図２におけるＡ−Ａ断面図。
【図５】図２におけるＢ−Ｂ断面図。
【図６】照明器具を分解して示す分解斜視図。
【発明を実施するための形態】
【００１６】
本発明の実施形態に係る照明器具１１について、図１から図６を用いて説明する。本実施形態に係る照明器具１１は、ＬＥＤ５２を光源とする照明器具である。照明器具１１は、例えば壁面Ｗ（図３参照）に取り付けられるブラケットライトとして用いられる。以下の説明では、照明器具１１における壁面Ｗ等の取付面に対向する側を照明器具１１の取付面側とし、照明器具１１の光を照射する側（取付面側の反対側）を照明器具１１の照射面側として説明する。また、図４、図５に示す照明器具１１において、説明の便宜上前記照射面側を上方とし、前記取付面側を下方として説明する。また、以下の説明において、上方から照明器具１１等を視た状態を平面視とする。上下方向に対して直交方向から照明器具１１等を視た状態を側面視とする。照明器具１１等の断面形状を見た状態を断面視とする。
なお、本実施形態に係る照明器具１１は、壁面Ｗに取り付けるブラケットライトとして用いられるものであるが、照明器具として取付面を特に限定するものではない。例えば、照明器具１１を天井面に取り付けるシーリングライトとして用いることができる。
【００１７】
照明器具１１は、器具本体２１、電源部である電源装置３１、光源取付部４１、光源部（ＬＥＤモジュール基板）５１、光源カバー６１、セード７１、及び遮光部８１を主に備える。照明器具１１の外形は、平面視において短手方向の長さに対して長手方向の長さの比率が大きい長尺形状である。照明器具１１の外形は、セード７１により器具本体２１の一部を除いて器具本体２１がほとんど覆われるため、セード７１の外形と略同形状である。
なお、照明器具１１の形状は、本実施形態に示すような長尺形状に限らず、平面視における形状が円形形状やスクエア形状であってもよい。
【００１８】
器具本体２１は、断面視略コ字状で長尺状の金属製部材である。器具本体２１は、平面視において長方形状である。器具本体２１は、電源装置３１、光源取付部４１及びセード７１を照射面側に保持する部材である。器具本体２１は、短手方向の両端に対向して立設される一対の屈曲部２２、及び該一対の屈曲部２２の間に配置される長板状の中央板部２３を有している。屈曲部２２は、断面視略Ｖ字状であり、照明器具１１の外形の一部となる側壁部２２ａ、該側壁部２２ａに連設する内側板部２２ｂを有している。側壁部２２ａと内側板部２２ｂとは、なす角が鋭角となるように連設され、後述する光源取付部４１の両端（光源配置部４３・４３の下端）と光源カバー６１の両端を配置するガイド溝２５となる。ガイド溝２５は、光源取付部４１の両端（光源配置部４３・４３の下端）と光源カバー６１の両端が配置されることで、光源取付部４１を器具本体２１上の所定の位置に位置決めすることができる。器具本体２１は、セード７１を取り付けるための一対のセード取付部２６を有している。器具本体２１が有する中央板部２３には、長手方向の中央部に電源装置３１が取り付けられ、長手方向の両端部に一対のセード取付部２６が取り付けられる。
【００１９】
セード取付部２６は、中央板部２３の長手方向の両端近傍に取り付けられる平面視略コ字状の固定具２７と、該固定具２７の内側に取り付けられる側面視略コ字状で両端近傍に側面視く字状のバネ屈曲部２８ａを有する板バネ部２８から構成される。固定具２７は、器具本体２１の短手方向の両端に設けられ、一対の開口を有する。板バネ部２８は、固定具２７が有する該一対の開口からバネ屈曲部２８ａが外側に向けて突出されるように固定具２７に取り付けられる。セード取付部２６は、セード７１が有するバネ係合部７３が外装されることで、該バネ係合部７３が有する一対の開口に一対のバネ屈曲部２８ａが係合して固定される。このように、セード取付部２６は、該バネ屈曲部２８ａの外側に働くバネ弾性力により、バネ屈曲部２８ａが、バネ係合部７３が有する一対の開口から容易に外れない機構となっている。
【００２０】
電源装置３１は、光源部５１が有するＬＥＤ５２に給電を行って、ＬＥＤ５２を点灯させるための装置である。電源装置３１は、箱状の電源ケース３２内に直方形状に加工されたプリント配線板上に複数の電子部品が実装された電源回路３３が収容されたものである。電源装置３１は、器具本体２１（中央板部２３）の長手方向の略中央部の照射面側に配置されている。電源装置３１は、外部電源から供給される交流電流を所定の直流電流に変換し、変換後の電流を基板５３に実装された複数のＬＥＤ５２に供給するためのものである。電源装置３１は、配線（図示せず）を介して端子台３４に電気的に接続されている。端子台３４は、器具本体２１（中央板部２３）の照射面側において固定具２７と電源装置３１との間に配置されている。照明器具１１を壁面Ｗに取り付ける際、端子台３４を配線（図示せず）により天井側の外部電源（図示せず）に接続することで、外部電源と電気的に接続される。電源装置３１と光源部５１は配線（図示せず）によって電気的に接続されている。
【００２１】
光源取付部４１は、断面視において照射面側に凸状に形成された板状部材である。すなわち、光源取付部４１は、断面形状が上方（照射面側）に向けて台形状に突出するように形成された部材である。光源取付部４１は、平面視において長尺形状であり、器具本体２１と略同じ長さ寸法を有する。光源取付部４１は、電源装置３１、端子台３４等を跨ぐように覆うとともに、光源部（ＬＥＤモジュール基板）５１、光源カバー６１等を照射面側に保持する部材である。
【００２２】
光源取付部４１は、長尺板状の光源非配置部４２と、その表面に光源部５１が配置される少なくとも２つ以上（本実施形態では２つ）の光源配置部４３を有する。光源非配置部４２は、２つ以上の光源配置部４３の間に配置される。本実施形態では、２つの光源配置部４３・４３との間に光源非配置部４２が配置される。
２つ以上の光源配置部４３は、平行もしくはそれらの延長線のなす角度が鋭角となるように配置される。本実施形態では、２つの光源配置部４３・４３が、光源非配置部４２側から器具本体２１側に向かうに従って外側に広がるよう配置される。換言すれば、２つの光源配置部４３・４３は、光源非配置部４２の外縁に設けられ、光源非配置部４２の外縁から離間するに従って外側に広がるように形成される。すなわち、光源取付部４１は、長尺板状の光源非配置部４２と、光源非配置部４２の短手方向の両端に連設される一対の光源配置部４３・４３を有している。一対の光源配置部４３・４３は、光源非配置部４２を介して対向するように配置され、光源非配置部４２から離間するに従って間隔が広くなっている。光源取付部４１は、光源非配置部４２と、該光源非配置部４２に連設される一対の光源配置部４３・４３が単一の部材として一体的に形成されたものである。光源取付部４１は、該光源取付部４１がガイド溝２５に配置された際に、光源取付部４１の取付面側に電源装置３１、端子台３４等を収容するための所定の高さ及び幅を有する空間Ｓが形成されている。電源装置３１は、光源非配置部４２と光源配置部４３・４３により形成される空間Ｓに配置される。
なお、本実施形態の光源取付部４１は、２つの光源配置部４３・４３を有する構成としているが、特に限定するものではない。例えば、光源非配置部４２の外縁に連設して複数（２つ以上）の光源配置部を有する構成とすることもできる。
【００２３】
一対の光源配置部４３・４３は、長尺形状の板状部分であって、その表面に複数のＬＥＤ５２が実装された基板５３を配置して取り付ける部分である。一対の光源配置部４３・４３は、光源部５１で発生した熱を吸収し、光源取付部４１の外側の空気に放出する放熱機能も有する。また、光源取付部４１が有する光源非配置部４２は、光源部５１で発生した熱が一対の光源配置部４３・４３を介して伝えられた熱を、外部に放出する放熱機能を有する。光源取付部４１は、光源部５１で発生した熱を吸収し、光源取付部４１の外側の空気に放出する放熱機能も有するため、光源部５１が当接される光源配置部４３・４３の表面は、光源部５１との接触面積が広くなるよう平坦に形成されている。光源取付部４１は、長手方向の寸法が前述した器具本体２１の長手方向の寸法と比べて、略同じかやや小さくなるように形成されている。光源取付部４１は、短手方向の寸法が前述した器具本体２１の短手方向の寸法と比べて、やや小さくなるように形成されており、光源取付部４１を器具本体２１に内装できるように構成されている。
なお、本実施形態においては、一対の光源配置部４３・４３を光源非配置部４２と一体的に形成しているが、特に限定するものではない。
【００２４】
ここで、ＬＥＤ５２が配置された基板５３（ＬＥＤモジュール基板）を光源配置部４３・４３に配置した場合、基板５３は、光源配置部４３・４３に当接して保持されるため、光源部５１が発熱した際には、光源部５１の熱が光源配置部４３・４３を介して光源取付部４１全体に伝わる。光源取付部４１に伝わった熱は、光源取付部４１の温度よりも周辺温度が低い場合、光源取付部４１周辺の空気へ伝わる。これにより、光源取付部４１全体に伝わった熱は、外気へ放熱される。また、光源取付部４１が有する光源非配置部４２は、照射面側及び取付面側に光源部５１等を設けていないため、より効率的に放熱が行われる。
【００２５】
一対の光源配置部４３・４３は、図４に示すように、それぞれの延長線のなす角θが鋭角となるように対向配置されている。
なお、本実施形態の光源取付部４１の形状は、光源非配置部４２の両端から離間するに従って光源配置部４３が外側に広がる断面視凸型状に形成されているが、この形状に特に限定するものではない。例えば、光源取付部４１の形状を、長手方向か短手方向のどちらか一方の両端が開放された断面視矩形状や断面視Ｕ字状にすることも可能である。
また、本実施形態では光源非配置部４２を長尺板状に形成したが、これに限定するものではない。例えば、２つ以上の光源配置部４３との間に設けた空間、またはその空間を形成する縁部でも良い。
【００２６】
器具本体２１及び光源取付部４１は、電源装置３１、光源部５１、光源カバー６１及びセード７１等を保持可能な耐久性と、光源部５１が発する熱を放熱させるための熱伝導性とを考慮し、金属材料を用いて形成されている。器具本体２１及び光源取付部４１を構成する材料としては、例えば熱伝導率の高いアルミニウムやアルミニウム合金、鉄や鉄合金等の金属材料が挙げられる。器具本体２１及び光源取付部４１は、例えば、板金（本実施形態では、鉄合金製の板金）を屈曲して加工することよりにより形成されている。
なお、器具本体２１及び光源取付部４１を構成する材料としては、耐久性及び必要な放熱性が確保できる材料であれば、金属に限らず、樹脂などの他の材料、もしくはそれらの組み合わせで形成することができる。
【００２７】
光源部５１は、照明器具１１の照射面側に向けて光を出射する部分である。光源部５１は、図６に示すように、モジュール基板である。光源部５１は、平板状（横長状）に加工された基板５３上に、この基板５３の長手方向に点光源である複数のＬＥＤ５２が、等間隔かつ略直線状に基板上に並べられて配置されたものである。なお、本実施形態では光源として複数のＬＥＤ素子（表面実装タイプのＬＥＤ素子）を用いたが、これに限らず、ＣＯＢ型発光モジュールや有機ＥＬ素子などを用いても良い。光源部５１は、光源取付部４１における光源配置部４３・４３の照射面側にそれぞれ当接して配置され、ネジ等の取付部材により取り付けられる。光源部５１は、配線（図示せず）によって電源装置３１と電気的に接続されている。
なお、光源部５１は、熱伝導性シート（図示せず）や放熱グリスを介して光源配置部４３・４３に取り付けてもよく、これにより、より高い放熱性を得ることもできる。
また、本実施形態の光源部５１では、光源として光源配置部４３・４３のそれぞれに１つのモジュール基板（ＬＥＤ５２を実装した基板５４）を配置する構成としているが、特に限定するものではない。例えば、１つの光源配置部４３に複数のモジュール基板を配置して光源部を構成してもよい。
【００２８】
光源カバー６１は、光源配置部４３・４３に配置された光源部５１及び光源非配置部４２の照射面側を覆うための薄型で透光性を有するカバーである。光源カバー６１は、断面形状が上方（照射面側）に向けて台形状に突出するように形成されたものである。光源カバー６１は、光源取付部４１の表面積と略同じもしくはやや大きい表面積を有し、図６に示すように光源取付部４１の表面形状にほぼ沿った形状になるように形成されている。光源カバー６１は、その長手方向の寸法及び短手方向の寸法が前述した光源取付部４１と比べて、略同じになるように形成されている。光源カバー６１は、例えば樹脂素材で形成される。光源カバー６１は、ＬＥＤ５２に埃などが付着することを防止するものである。光源カバー６１は、その下端部に長手方向に沿って複数のネジ取付部（ネジ孔）を有し、ネジ等の取付部材により光源取付部４１に取り付けられる。
なお、本実施形態の光源カバー６１は、光源取付部４１の表面側（照射面側）全体を覆う構成としているが、特に限定するものではない。具体的には、光源配置部４３における光源部５１が有する複数のＬＥＤ５２を少なくとも覆うことができればよい。
【００２９】
セード７１は、光源取付部４１の照射面側を覆うように取り付けられ、光源部５１からの光を反射及び拡散させつつ、外部へ配光する部材である。セード７１は、平面視において長方形状である。セード７１は、照明器具１１の長手方向に直交する断面形状において、扇状に広がる傘部７２を有する形状であって、壁面Ｗから照射面側に突出した形状であるとともに、該傘部７２が壁面Ｗに対して略平行方向に広がる形状である。セード７１は、透光性を有する樹脂素材で形成されている。セード７１は、長手方向の両端に照明器具１１の両端部を閉塞するエンドキャップ７４を有している。セード７１は、その長手方向の両端に器具本体２１に配置されたセード取付部２６に係合する一対のバネ係合部７３を有している。セード７１は、バネ係合部７３をセード取付部２６に係合することで、セード７１が器具本体２１において位置決めされて器具本体２１に取り付けられる。セード７１は、セード７１の内部の清掃や部品交換等のために、器具本体２１に対して着脱できる構造となっている。光源取付部４１が有する光源非配置部４２に光源部５１を配置していないため、セード７１の照射面側の短手方向の中央部を光源非配置部４２に近接して構成することができる。
なお、本実施形態のセード７１は、光源取付部４１を覆う構成としているが、その形状を特に限定するものではない。具体的には、セードとしては、光源配置部４３における光源部５１が有する光源である複数のＬＥＤ５２を少なくとも覆うことができればよい。
また、本実施形態のセード７１は、その断面形状を扇状に広がる傘部７２を有する形状としているが特に限定するものではない。例えば、他の断面形状として、Ｔ字状に形成してもよい。
【００３０】
セード７１は、光源非配置部４２の対向する位置に、光源部５１から出射される光の少なくとも一部を遮光する遮光部８１を有する。セード７１は、その照射面側において短手方向の中央に光源部５１から出射された光をセード７１の外に出射しないように遮光する細長い形状の遮光部８１を有している。遮光部８１は、断面形状が山形形状であり、長さ寸法がセード７１の長手方向の寸法と略同一である。
セード７１に遮光部８１を設けることは、セード７１内部に収容されている光源取付部４１や取付ネジなどの映りこみを防止する。つまり、遮光部８１は、セード７１を通して光源取付部４１や取付ネジなどが外部から目視できないように覆い隠すことができる。そのため、セード７１を光源取付部４１やネジ等に近接した形状に構成することができる。すなわち、セード７１に遮光部８１を設けることは、扇状の傘部７２を扁平な形状に形成することができ、セード７１の高さ寸法を小さくするのに有効な構成であり、照明器具１１の小型化を実現することができる。
【００３１】
遮光部８１は、照明器具１１の長手方向に直交する断面形状において、遮光部８１の少なくとも一部が、光源非配置部４２と、前記２つの光源配置部４３・４３のそれぞれの延長線により区画される範囲内に含まれるように配置されることが好ましい。
なお、本実施形態では、セード７１に遮光部８１を設ける構成としているが、特に限定するものではない。例えば、本実施形態の照明器具１１をシーリングライトとして使用する場合などでは、遮光部８１は必須の構成ではない。
【００３２】
図６に示すように、器具本体２１の照射面側には電源装置３１、端子台３４及びセード取付部２６等が取り付けられ、これらを覆うように光源部５１が配置された光源配置部４３・４３を有する光源取付部４１が取り付けられ、該光源取付部４１を覆うようにセード７１が取り付けられる。このように組み立てられた照明器具１１では、図４に示すように、電源装置３１が光源取付部４１の取付面側の空間Ｓに配置され、光源部５１は、光源取付部４１の表面とセード７１の内壁とにより形成される空間Ｓ´に配置される。
【００３３】
以上説明した本実施形態に係る照明器具１１では、前記光源取付部４１が光源非配置部４２と、該光源非配置部４２の外縁に設けられ、前記光源非配置部４２外縁から離間するに従って外側に広がるとともに表面に光源部５１が配置される、少なくとも２つ以上の光源配置部である光源配置部４３・４３と、を有する。さらに、電源装置３１は、光源非配置部４２と光源配置部４３・４３により形成される空間Ｓに配置される。これにより、壁面や天井面に取り付けられる小型化された照明器具を提供することができる。すなわち、本実施形態の照明器具１１は、特許文献１、２に開示された従来の照明器具のように２段構造でないため、取付面からの張り出し寸法が小さく嵩高さを抑えることができ、照明器具として壁面や天井面に取り付けられるのに好適な小型化された照明器具を提供することができる。
【００３４】
また、本実施形態では、一対の光源配置部４３・４３が、それぞれの延長線のなす角が鋭角となるように対向配置される。これにより、電源装置３１の短手方向の側面に光源部５１を配置する構成となるため、照明器具１１の平面視における面積も小さくなり、小さな取付面積でも取り付けることが可能な照明器具を提供することができる。
【００３５】
また、本実施形態では、セード７１が、光源非配置部４２の対向する位置に、光源部５１から出射される光の少なくとも一部を遮光する遮光部８１を有する構成である。遮光部８１に対向する光源非配置部４２の照射面側には光源部５１を設けていないため、例えば、本実施形態のセード７１のように扁平な傘部７２を有する形状とし、セード７１の内壁と光源非配置部４２との間隔を近接して構成することができる。これにより、照明器具の小型化（薄型化）を実現することができる。
【００３６】
このように、本実施形態では、照明器具１１を小型化（薄型化）して室内空間をより広く感じさせることができる。
【００３７】
また、本実施形態では、図４に示すように、遮光部８１が、照明器具１１の長手方向に直交する断面形状において、遮光部８１の少なくとも一部が、光源非配置部４２と、前記２つの光源配置部４３・４３のそれぞれの延長線により区画される範囲内に含まれるように配置される。これにより、照明器具１１の構造として照明器具１１の上下方向の寸法が小さい扁平なものとなり、照明器具の小型化（薄型化）を実現することができる。
【００３８】
以上、本発明の実施形態について説明したが、本発明は上記実施形態に限定されるものではなく、様々な変更が可能である。例えば、照明器具１１は長尺形状としたが、丸型やその他の形状としてもよい。
【００３９】
本実施形態の照明器具１１の形状は一例であり、本実施形態の形状に限定されるものではない。例えば、照明器具１１の形状が長尺形状以外の丸型や角型やその他の形状である場合には、それに応じた形状とすることができる。また、光源部５１の形状に応じて適宜変形させることも可能である。
【符号の説明】
【００４０】
１１    照明器具
２１    器具本体
３１    電源装置（電源部）
４１    光源取付部
４２    光源非配置部
４３    光源配置部
５１    光源部
５２    ＬＥＤ
５３    基板
７１    セード
Ｓ      空間
【図１】
2015097181.tif 000003
【図２】
2015097181.tif 000004
【図３】
2015097181.tif 000005
【図４】
2015097181.tif 000006
【図５】
2015097181.tif 000007
【図６】
2015097181.tif 000008